(57)【要約】【課題】乳児の首を支えて安定させることができる袋状おくるみを課題とする。【解決手段】袋状おくるみ１は、乳児の頭部及び首部を除く全身を収容するための袋体２を有し、袋体２の上部に、乳児の頭部を露出させるための開口部１４を形成し、この開口部１４を画定する開口縁部１６に、乳児の首部を支えるためのまくら部２２を設けた。【選択図】図１
2012102420.tif 000002
【特許請求の範囲】
【請求項１】
乳児の頭部及び首部を除く全身を収容するための袋体を有し、
前記袋体の上部には、乳児の頭部を露出させるための開口部が形成され、
前記開口部を画定する開口縁部には、乳児の首部を支えるためのまくら部が設けられている、袋状おくるみ。
【請求項２】
前記開口縁部には、前記開口部の大きさを調節する調節部材が設けられており、
前記まくら部と前記調節部材とは、互いに異なる位置で前記開口縁部に内蔵されている、請求項１に記載の袋状おくるみ。
【請求項３】
乳児の頭部を支えるためのヘッド部を更に有し、
前記ヘッド部は、前記開口縁部から上方に延在するように設けられている、請求項１又は２に記載の袋状おくるみ。
【請求項４】
前記袋体の左右両側部における部分のうち、少なくとも乳児の胸部に対応する上下方向の位置にある部分を前方に折り返した位置で保持するための保持手段を、さらに有している、請求項１ないし３のいずれか一項に記載の袋状おくるみ。
【請求項５】
前記袋体は、吸湿性を有する布地からなり、少なくとも左右の両側部について袋縫いされている、請求項１ないし４のいずれか一項に記載の袋状おくるみ。
【発明の詳細な説明】
【技術分野】
【０００１】
本発明は、乳児用のおくるみに関するものである。
【背景技術】
【０００２】
市販されている一般的なおくるみは、正方形又は長方形の一枚布からなるものであり、乳児を包み込むようにして使用される。この他にも、様々なタイプのおくるみが提案されており、例えば、特許文献１では、乳児の頭部を温度調節できるように、使用時に乳児の頭部を囲む布部分を収縮させたり、拡げたりできるようにしている。
【０００３】
また、特許文献２では、おくるみを予め袋状に形成しておき、その前身頃に乳児を出し入れするためのファスナーを設け、袋状のおくみの上部に乳児の頭部を露出させる開口部を形成している。そして、袋状のおくるみの底部を閉塞しておくことで、乳児を抱いたときに乳児がおくるみから抜け落ちないようにしている。
【先行技術文献】
【特許文献】
【０００４】
【特許文献１】特開２００５−６８５８４号公報
【特許文献２】特開２００６−１２４８７３号公報
【発明の概要】
【発明が解決しようとする課題】
【０００５】
しかし、このような特許文献１及び２に記載のおくるみでは、乳児の首部の安定性については考慮されていない。このため、乳児を寝かしておくときに、別途、まくらを用意する必要があるなど、改善の余地があった。
【０００６】
そこで、本発明は、乳児の首を支えて安定させることができる袋状おくるみを提供することをその目的としている。
【課題を解決するための手段】
【０００７】
上記目的を達成するため、本発明の袋状おくるみは、乳児の頭部及び首部を除く全身を収容するための袋体を有し、袋体の上部には、乳児の頭部を露出させるための開口部が形成され、この開口部を画定する開口縁部には、乳児の首部を支えるためのまくら部が設けられているものである。
【０００８】
本発明によれば、使用時に、乳児の体が袋体内に収容されて覆われる一方、乳児の頭部が袋体上部の開口部から露出し、且つ、乳児の首部がまくら部によって支えられることになる。このため、乳児を寝かせておく際に、別途まくらを用意しなくとも、一つの袋状おくるみによって、乳児の首部を支えて安定させることができる。また、まくら部を開口縁部に設けた構成であるので、乳児の頭部を露出させるための開口部を有効に利用して、まくら部を設けることができる。
【０００９】
好ましくは、開口縁部には、開口部の大きさを調節する調節部材が設けられており、まくら部と調節部材とは、互いに異なる位置で開口縁部に内蔵されているとよい。
【００１０】
この構成によれば、開口部の大きさを加減することができるので、授乳時などにおいて、乳児の頭部の露出量を簡単に調整することができる。また、まくら部と調節部材とを開口縁部に内蔵することで、これらが乳児の口に入ることを防止することができる。さらに、調節部材はまくら部とは異なる位置で開口縁部に内蔵されるため、開口部の有効利用を図りながら、開口縁部に調節部材を簡単に設けることができる。
【００１１】
好ましくは、袋状おくるみは、乳児の頭部を支えるためのヘッド部を更に有し、ヘッド部は、開口縁部から上方に延在するように設けられるとよい。
【００１２】
この構成によれば、使用時に、乳児の頭部をヘッド部で保護することができる。これにより、袋状おくるみに入れた乳児を寝かせておいておく際に、洗面室など、様々な場所におき易くなる。
【００１３】
好ましくは、袋状おくるみは、袋体の左右両側部における部分のうち、少なくとも乳児の胸部に対応する上下方向の位置にある部分を前方に折り返した位置で保持するための保持手段を、さらに有しているとよい。
【００１４】
この構成によれば、袋体の左右両側部を折り返した位置で保持した場合、袋体内の左右両脇における空間が小さくなると共に、折り返した部分が元の位置に戻るのが抑制される。これにより、袋状おくるみに入れた乳児を寝かせた場合、乳児の手がバタバタと動くのが抑制されるので、乳児を安定させた状態で寝かしておくことができる。
【００１５】
好ましくは、袋体は、吸湿性を有する布地からなり、少なくとも左右の両側部について袋縫いされているとよい。
【００１６】
この構成によれば、袋縫いされた部分には縫い目が出ないので、乳児の肌にとってやさしい縫製となる。また、乳児の汗を袋体で適切に吸収することができる。
【図面の簡単な説明】
【００１７】
【図１】第１実施形態に係る袋状おくるみの正面図である。
【図２】図１の袋状おくるみの背面図である。
【図３】図１の袋状おくるみについて、袋体の左右両側部を折り返して保持した状態を示す正面図である。
【図４】図１のＩＶ−ＩＶ線で切断した断面図である。
【図５】図１の袋状おくるみの使用状態を示す図である。
【図６】第２実施形態に係る袋状おくるみの正面図である。
【発明を実施するための形態】
【００１８】
以下、添付図面を参照して、本発明の好適な実施形態に係る袋状おくるみについて説明する。本明細書において袋状おくるみの各部位に関連して用いる前後上下等の位置関係は、特に断らない限り、図面に示す位置関係に基づくものとする。さらに、図面の寸法比率は、図示の比率に限定されるものではない。また、以下の実施形態は、本発明を説明するための例示であり、本発明をその実施形態のみに限定する趣旨ではない。
【００１９】
図１、図２及び４に示すように、袋状おくるみ１は、上部が開口した袋体２を有する。袋体２は、一枚又は複数枚の布地を適宜の位置で縫うことで作られる。本実施形態では、一枚の布地を袋体２の下部４に相当する位置で折り返すことで、二つ折りにし、袋体２の左右両側部６ａ，６ｂを袋縫いすると共に、これに連続するように下部４の一部４ａ，４ｂを袋縫いすることで袋体２が作られている。このようにして作られた袋体２は、左右の両側部６ａ，６ｂ及び下部４が閉じており、全体として、乳児の頭部及び首部を除く全身を収容するための空間３を内部に構成している。
【００２０】
袋体２に使用する布地は、洗濯可能で乳児の肌にやさしいものであれば各種のものを用いることができるが、耐アレルギー性や吸湿性を有することが好ましい。吸湿性があれば、乳児の汗を吸収できるばかりか、入浴後の体についている水滴を吸収できる。この種の吸湿性を有する好ましい布地としては、例えば、フリース地のほか、バスタオルに代表されるタオル地、マイクロファイバーが挙げられる。なお、布地は、季節や用途に応じたものを用いたり、表生地に風を通さない素材を用いたりすることもできる。
【００２１】
袋体２の前身頃８には、ポケット１０が縫い付けられている。ポケット１０の位置及びサイズは、任意であり、ここでは小物を入れることができる程度のサイズで構成されている。前身頃８には、デザイン性を高めるために、ボタンやキャラクターグッズなどの装飾品を縫い付けることもできる。一方、袋体２の後身頃１２には、ポケットなどは縫いつけられておらず、乳児の背中に違和感を与えないような配慮がなされている。
【００２２】
袋体２の上部には、乳児の頭部を露出させるための開口部１４が形成されている。開口部１４は、乳児の体を袋体２内の空間３に出し入れできる大きさを有している。開口部１４を画定する開口縁部１６は、袋体２の内部と外部との境界において、環状に延在している。開口縁部１６には、前身頃８側の中心位置に二つのボタン１８ａ，１８ｂが取り付けられている。
【００２３】
図１及び図５に示すよだれかけ２０には、二つのボタン穴２１ａ，２１ｂがあけられている。このボタン穴２１ａ，２１ｂにボタン１８ａ，１８ｂを通してかけることで、よだれかけ２０が開口縁部１６に取り外し可能に取り付けられる。よだれかけ２０は、角を丸くした正方形の布地からなり、その丸くした上下の角部が袋体２の中心線上に位置するように、４５度傾けた状態で開口縁部１６に取り付けられる。このため、図５に示す如くの取付け状態では、よだれかけ２０が開口縁部１６を上下に跨いで延在することになり、開口縁部１６よりも上側に位置するよだれかけ２０の上部２０ａによって、乳児のよだれが確実性良く受け止められるようになっている。ただし、よだれかけ２０の上部２０ａは、乳児の口にかからない。
【００２４】
なお、よだれかけ２０は、マジックテープ（登録商標）など、他の手段を用いて袋体２に取り付けてもよく、その場合にも着脱可能となるように取り付けることが好ましい。着脱可能とすることで、袋体２とは別に、よだれかけ２０のみを洗濯することができるからである。また、よだれかけ２０の形状や取付けの向きなどは上記に限定されるものではなく、例えば、図６に示すように、４５度傾けることなく正方形のよだれかけ２０を開口縁部１６に取り付けてもよい。
【００２５】
図１,２及び４に示すように、開口縁部１６には、まくら部２２と調整ゴム２４とが互いに異なる位置に設けられている。具体的には、まくら部２２は、開口縁部１６の後身頃１２側に設けられ、調整ゴム２４は、まくら部２２が設けられていない位置、例えば、まくら部２２の左右両側の位置から前身頃８側にかけた位置に設けられている。
【００２６】
ここで、開口縁部１６は、袋体２を構成する上記した一枚の布地を、袋体２の上部に相当する位置で数ｃｍほど内側に折り返し、この折り返した部分が閉じた筒部（袋状の部位）となるように、布地の表地と裏地とを縫うことで構成されている（図４参照）。開口縁部１６における筒部の内部が、まくら部２２と調整ゴム２４とを入れるための空間となっており、まくら部２２と調整ゴム２４とは、開口縁部１６に内蔵されることで設けられている。
【００２７】
また、まくら部２２と調整ゴム２４とは、互いに干渉しないように、開口縁部１６において両者の領域が縫着線によって区画されている。具体的には、図１及び図２に示すように、まくら部２２が存在する領域は、開口縁部１６の後身頃１２側を上下方向に縫った左右の縫着線２６ａ，２６ｂの内側となる。一方、調整ゴム２４が存在する領域は、この縫着線２６ａ，２６の外側であり、前身頃８側の一部又は全部にかけた位置となる。
【００２８】
まくら部２２は、乳児の首部を支えるためものである。まくら部２２は、開口縁部１６の筒部内にセットされ、乳児の首部を支えるのに適した膨らみを開口縁部１６に持たせている。別の観点で換言すると、まくら部２２は、袋体２の大部分よりも厚みを有しており、袋体２を構成する後身頃１２の部分よりも前後の各方向に突出するように、開口縁部１６に内蔵されている。
【００２９】
まくら部２２の厚み、高さ、幅、形状及び素材などの性状は、適宜設計することが可能である。好ましい一例を挙げると、まくら部２２の厚みは約２ｃｍであり、高さは約２〜３ｃｍであり、幅は約２０ｃｍである。また、形状については、円形の断面形状とすることもできるが、楕円形（長円形、トラック形状などを含む。）の断面形状を採用し、その長手方向が上下方向となるように、開口縁部１６内にセットすることが好ましい。もっとも、まくら部２２の厚み、高さ、幅及び形状は、まくら部２２に使用する素材との関係をも考慮して決定されるべきものであり、上記の好ましい一例は、まくら部２２の素材として綿を用いた場合に好適となる。一方で、より低反発の素材（例えばウレタン）などを用いる場合には、綿の素材の場合よりも高さや厚みを大きくすることが好ましい。
【００３０】
調整ゴム２４は、開口部１４の大きさを調節する調節部材である。調整ゴム２４は、例えば平ゴムからなり、自身が伸縮することにより、開口部１４の大きさを調節する。ここでは、平ゴムからなる調整ゴム２４は、自然状態で（袋状おくるみ１の不使用時に）、開口部１４が所定の縮んだ状態の大きさに維持されるように設けられている。このため、自然状態では、調整ゴム２４が存在する開口縁部１６の部位は、調整ゴム２４によって皺がより、縮んでいる。この縮んだ状態から開口縁部１６を外側に引っ張ることで、調整ゴム２４の弾性力に抗して、開口部１４の大きさが拡がることになる。一方で、拡げた開口部１４の大きさを縮めるには、開口縁部１６を引っ張ることをやめればよい。そうすることで、調整ゴム２４の復元力により、開口部１４が元の状態（所定の縮んだ状態）の大きさに戻ることになる。
【００３１】
ここで、調整ゴム２４が調節できる開口部１４の大きさの範囲に関して説明すると、その下限（所定の縮んだ状態の大きさ）は、開口縁部１６が乳児の首部を圧迫しない程度であればよい。一方、開口部１４の大きさの上限は、上記した袋体２の縫製を考慮すると、左右方向については、袋体２の左右両側部６ａ，６ｂを縫っている縫い目となるが、これを超える位置とすることも可能である。
【００３２】
ヘッド部３０は、乳児の頭部を支えるためのものであり、開口縁部１６から上方に延在している。ヘッド部３０は、袋体２の布地と同じ布地で構成することもできるが、異なる布地を用いたり、二以上の重ねた布地を用いたりすることも可能である。また、ヘッド部３０は、開口縁部１６の上端に縫い付けることもできるし、開口縁部１６に取り外し可能に設けることも可能である。取り外し可能とするには、マジックテープ（登録商標）やボタンなどを用いることができる。ただし、ボタンの場合には乳児の頭部等に違和感を与えるおそれがあるので、マジックテープ（登録商標）を用いた方が好ましい。この場合には、ヘッド部３０の下部の前身頃側と、開口縁部１６のまくら部２２が存在する後身頃側とが着脱可能となるように、両者にマジックテープ（登録商標）を設ければよい。
【００３３】
ここで、ヘッド部３０の平面形状は、例えば図１に示す如くの逆台形とすることもできるし、正方形、長方形、ハート形などその他の形状を採用することも可能である。ヘッド部３０の厚みは、袋体２の大部分の厚みと同程度であればよいが、まくら部２２の厚みよりも小さいことが好ましい。また、ヘッド部３０の大きさは、ヘッド部の３０の端部が乳児の口部に回り込まないような大きさであることが好ましい。したがって、ヘッド部３０は、フードや帽子としては機能しない程度の大きさであることが好ましい。なお、図５では、乳児の頭部がヘッド部３０に支えられていることを明りょうに示すことのみを企図して、ヘッド部３０の大きさが図１〜４における大きさよりも大きく表されている。
【００３４】
図１〜３に示すように、袋体２の左右両側部６ａ，６ｂには、それぞれ、腕部３２ａ，３２ｂが縫い付けられている。この縫い付け位置は、乳児の胸部に対応する上下方向の位置となっている。腕部３２ａ，３２ｂは、デザイン性を考慮して、乳児の腕を模した平面形状を有しているが、このような形状に限られない。腕部３２ａ，３２ｂは、それぞれ、袋体２を構成するために左右両側部６ａ，６ｂを縫っている縫い目（脇線）から外方に延在しており、腕部３２ａ，３２ｂにおける左右両側部６ａ，６ｂ側の端部は、閉じられている。すなわち、袋体２の中に入った乳児の手は、腕部３２ａ，３２ｂの中には入らないようになっている。
【００３５】
腕部３２ａ，３２ｂは、互いの先端部を着脱できるように、それぞれ、係止部３４ａ，３４ｂが設けられている。具体的には、腕部３２ａの先端部の背面に係止部３４ａが設けられ、腕部３２ｂの先端部の正面に係止部３４ｂが設けられている。そして、図３に示すように、袋体２の前身頃８側にて、腕部３２ａ，３２ｂの先端部同士を交差させた状態で、係止部３４ａ，３４ｂを互いに着脱可能に係止できるようになっている。
【００３６】
この係止した状態では、袋体２の左右両側部６ａ，６ｂが前方に折り返され、その折り返した位置で保持されることになる。このとき、袋体２の左右両側部６ａ，６ｂにおける部分のうち、腕部３２ａ，３２ｂが縫い付けられている部位が最も内側に絞られるように折り返されると共に、この部位に連続する上下の部位も僅かであるが内側に絞られるように折り返される。このような腕部３２ａ，３２ｂ及び係止部３４ａ，３４ｂによって、後述する特許請求の範囲に記載の「保持手段」が構成されており、乳児の手がバタバタと動くのが抑制されるようになっている。
【００３７】
なお、腕部３２ａ，３２ｂの縫い付け位置は、上記の位置に限るものではないが、乳児の手が安定する位置とする必要がある。また、係止部３４ａ，３４ｂを左右に一つずつ設けるのではなく、それぞれ、複数を腕部３２ａ，３２ｂに設けてもよい。こうすることで、係止ポイント（折り返した左右両側部６ａ，６ｂを保持するポイント）を変えることができるため、サイズへの適応性が高まることになる。
【００３８】
図５に示すように、乳児を入れて寝かせたときの袋状おくるみ１の使用状態では、乳児の全身（ただし、頭部及び首部を除く。）が袋体２の内部に収容され、乳児の頭部が開口部１４から露出してヘッド部３０に下側から支えられる。また、乳児の首部がまくら部２２に下側から支えられる。
【００３９】
以上説明した本実施形態の袋状おくるみ１の作用効果を説明する。
【００４０】
まず、まくら部２２が設けられているため、乳児の首を支えて安定させることができる。これにより、乳児を寝かせておく際に、袋状おくるみ１とは別個のまくらを用意する必要がなく、また、乳児の頭部がいわゆるぜっぺき頭となることを抑制することができる。さらに、まくら部２２を開口縁部１６に内蔵したので、袋体２に乳児を出し入れするのに必要な開口部１４を有効に利用して、まくら部２２を設けることができると共に、まくら部２２が誤って乳児の口に入るようなことを防止することもできる。
【００４１】
加えて、まくら部２２が袋体２の大部分よりも膨らんでいるため、使用者にまくら部２２の存在を視覚的に意識させることができ、袋状おくるみ１が意図する位置に乳児をセットすることを促すことができる。また、まくら部２２は、調整ゴム２４の伸縮による影響を受けないように開口縁部１６に内蔵されているため、調整ゴム２４の伸縮によってまくら部２２の位置がずれるようなことがない。このため、まくら部２２の機能を犠牲にすることなく、調整ゴム２４を設けて開口部１４の大きさを調整することができる。
【００４２】
さらに、調整ゴム２４が入っている開口縁部１６の部位には皺がよっているため、使用者に、調整ゴム２４の存在ひいては開口部１４の大きさが調整可能であることを視覚的に意識させることができる。また開口部１４の大きさを加減することができので、例えば授乳時に、乳児の頭部の露出量を増やすことが簡単にできるようになる。さらに、調整ゴム２４によって、開口部１４の大きさが所定の縮んだ状態に維持されることから、寝かしている乳児が動いたとしても、袋体２内の乳児の体が開口部１４から容易に抜け出手しまうようなことが抑制される。
【００４３】
また、ヘッド部３０が設けられているため、寝かせた乳児の頭部を支えて保護することができる。これにより、乳児を寝かせる場所を制約されずに済む。例えば、フローリングの上はもとより、洗面室などの床の上であっても、乳児の頭部の衛生面をそれほど気にかけることなく、袋状おくるみ１に入れた乳児を寝かせておくことが可能となる。これにより、母親一人でも、乳児と入浴することがスムーズになる。
【００４４】
さらに、使用時に係止部３４ａ，３４ｂを係止すれば、袋体２内の乳児の手がバタバタと動くのが抑制されるので、乳児を安定させた状態で寝かしておくことができる。とりわけ、睡眠中の乳児はしばしば手を首よりもあげて寝るが、このような手の動きを抑制することができ、乳児が自身の爪で顔を引っ掻くことも防止することができる。加えて、乳児にミトンをつける必要も無い。一方で、乳児が起きているときや、授乳のときには、係止部３４ａ，３４ｂによる係止を解除することができ、こうすることで乳児は手を自由に動かし易くなる。なお、乳児の眠りの状態により、係止部３４ａ，３４ｂによる係止を解除してもよい。
【００４５】
また、袋体２の縫製において袋縫いを使用しているため、袋縫いされた部分には縫い目が出ない。このため、乳児の肌にとってやさしいものとなる。また、ヨーロッパでは、一般に赤ちゃんを寝かせる時にくるんで安定させるが、袋状おくるみ１によれば、このヨーロッパの方式を取り入れることができ、成長期の一時期にとって効果的なものとなる。さらに、袋状おくるみ１によれば、別途上掛けを必要としないため、寝ている乳児の口や鼻に上掛けがかかることがなく、また、これがずれて乳児のお腹等を冷やすことも防止される。
【００４６】
さらに、乳児を寝かせて使用しない場合、例えば抱っこする場合、まくら部２２があることで、特に首がまだすわなっていない乳児を抱っこし易い。また、袋体２の下部４が閉塞しているため、乳児の足の保温性も確保することができる。
【００４７】
さらに、袋状おくるみ１は、一般の一枚布のおくるみに比べて保温性が高いものとなるため、例えば０ヶ月〜１ヵ月半程度の乳児のための必要な衣服を簡素化することも可能となる。また、袋状おくるみ１に入れた乳児をベビーカーに乗せることも可能であり、その際に、袋状おくるみ１の部位がベビーカーの車輪に巻き込まれたりすることも抑制される。
【００４８】
次に、図６を参照して、第２実施形態に係る袋状おくるみ１について説明する。第１実施形態との主な相違点は、保持手段（腕部３２ａ，３２ｂ及び係止部３４ａ，３４ｂ）を変更したことである。なお、第１実施形態と共通する構成については、第１実施形態と同一の符号を付してその説明を省略する。
【００４９】
本実施形態の保持手段は、一対のリボン４０ａ，４０ｂで構成されている。リボン４０ａ，４０ｂは、上述した腕部３２ａ，３２ｂと同様に、袋体２の左右両側部６ａ，６ｂの脇線の近傍において、乳児の胸部に対応する上下方向の位置に縫い付けられている。ただし、リボン４０ａ，４０ｂは、腕部３２ａ，３２ｂよりも長く形成されている。
【００５０】
袋体２の左右両側部６ａ，６ｂを前方に折り返した位置で保持するには、リボン４０ａ，４０ｂを互いに袋体２の前身頃８側で結べばよい。こうすることで、第１実施形態と同様に、袋体２の左右両側部６ａ，６ｂにおける部分のうち、リボン４０ａ，４０ｂが縫い付けられている部位が最も内側に折り返されると共に、この部位に連続する上下の部位も僅かであるが内側に折り返され、この状態が保持される。
【００５１】
したがって、第２実施形態によっても、使用時にリボン４０ａ，４０ｂを結べば、袋体２内の乳児の手がバタバタと動くのが抑制されるので、乳児を安定させた状態で寝かしておくことができる。また、リボン４０ａ，４０ｂの結びを解けば、簡単にもとの状態に戻すことができる。さらに、リボン４０ａ，４０ｂの結び位置を適宜可変することができるので、左右両側部６ａ，６ｂの折り返し度合いを調整することができる。すなわち、リボン４０ａ，４０ｂの結び位置によって、折り返した左右両側部６ａ，６ｂを保持するポイントを変えることができる。このため、サイズへの適応性が高い。
【００５２】
なお、リボン４０ａ，４０ｂに代えて、これと同様のひも状部材又はテープ状部材を用いることも可能である。
【００５３】
＜変形例＞
以下、第１実施形態及び第２実施形態に係る袋状おくるみ１に適用可能な変形例について、簡単に言及する。
【００５４】
まくら部２２については、開口縁部１６から出し入れできるようにしてもよい。まくら部２２は乳児の汗で汚れ易いが、これを簡単に交換し、洗濯することが可能となる。
【００５５】
また、開口部１４の大きさは、調整ゴム２４の位置をボタンなどで調節できるようにしてもよい。こうすることで、幅広いサイズに対応することができる。また、開口部１４の大きさを調節する調節部材としては、調整ゴム２４に代えて、伸縮しない紐状部材を用いることも可能である。この場合には、紐状部材の端部のみ、開口縁部１６における筒状空間から露出させ、その露出量を調節することで、開口部１４の大きさを調節することができる。
【００５６】
さらに、乳児を袋体２に出し入れするためのアクセス開口部は、上記の開口部１４に限るものではない。例えば、袋体２の前身頃８に開口部を設け、その開口部をファスナーで開閉できるようにしてもよい。こうすることで、袋体２の前身頃８から乳児を袋体２内に出し入れすることもできるようになる。もっとも、ファスナーは、乳児に接触しない又はできるだけ接触しないような位置に設けることが望ましい。
【符号の説明】
【００５７】
１：袋状おくるみ、２：袋体、３：空間、４：下部、８：前身頃、１０：ポケット、１２：後身頃、１４：開口部、１６：開口縁部、１８ａ，１８ｂ：ボタン、２０：よだれかけ、２１ａ，２１ｂ：ボタン穴、２２：まくら部、２４：調整ゴム、２６ａ，２６ｂ：縫着線、３０：ヘッド部、３２ａ，３２ｂ：腕部、３４ａ，３４ｂ：係止部、４０ａ，４０ｂ：リボン
【図１】
2012102420.tif 000003
【図２】
2012102420.tif 000004
【図３】
2012102420.tif 000005
【図４】
2012102420.tif 000006
【図５】
2012102420.tif 000007
【図６】
2012102420.tif 000008